(57)【要約】      （修正有）【課題】平時に水道水を浄化でき、災害時に汚水を浄化できる使い勝手の良い逆浸透膜式浄水器を提供する。【解決手段】逆浸透膜式浄水器Ｍは、原水が注入される注入口１１ａ，１１ｂから浄水の注出口１２に通じる流路２１と、流路２１に介在される、少なくともメンブレンフィルタＲＯを有するフィルタユニットと、メンブレンフィルタＲＯの下流側でこのメンブレンフィルタからの排水を排除する排水路２２と、メンブレンフィルタＲＯの上流側に設けられて流路２１内の水を加圧する加圧ポンプＰと、メンブレンフィルタＲＯの上流側の水圧を監視し、この水圧が規定値以下になったときに加圧ポンプＰを作動させない低圧力スイッチＬＰＳとを備える。更に、低圧力スイッチＬＰＳを無効にする無効スイッチＳＷを備える。【選択図】図１
0003174016.tif 000002
【実用新案登録請求の範囲】
【請求項１】
原水が注入される注入口から浄水の注出口に通じる流路と、
前記流路に介在される、少なくともメンブレンフィルタを有するフィルタユニットと、
前記メンブレンフィルタの下流側でこのメンブレンフィルタからの排水を排除する排水路と、
前記メンブレンフィルタの上流側に設けられて流路内の水を加圧する加圧ポンプと、
前記メンブレンフィルタの上流側の水圧を監視し、この水圧が規定値以下になったときに前記加圧ポンプを作動させない停止手段と、を備え、
前記停止手段を無効にする無効手段を更に備えることを特徴とする逆浸透膜式浄水器。
【請求項２】
前記フィルタユニット及び加圧ポンプを収容する筐体を更に備え、この筐体の壁面に前記注入口と注出口とが設けられ、これらの注入口と注出口とにホースを着脱自在に接続可能としたことを特徴とする請求項１記載の逆浸透膜式浄水器。
【請求項３】
前記フィルタユニットは、前記メンブレンフィルタの上流側に原水に含まれる沈殿物の物理的濾過を行うセディメントフィルタを有し、このセディメントフィルタの上流側で前記流路が分岐され、この分岐された分岐路が汚水源に接続可能とすると共に、第１の開閉弁を備えることを特徴とする請求項１または２記載の逆浸透膜式浄水器。
【請求項４】
前記汚水源は、汚水を貯留する容器であり、この容器には手押し式ポンプと、容器内の圧力が規定値を超えたときに開弁する安全弁とが設けられ、
前記第１の開閉弁よりも前記容器側の分岐路に第２の開閉弁を介設し、前記手押し式ポンプの操作により容器内の圧力が所定値以上になったときに前記第２の開閉弁が開弁するように構成したことを特徴とする請求項３記載の逆浸透膜式浄水器。
【考案の詳細な説明】
【技術分野】
【０００１】
本考案は、逆浸透膜式浄水器に関する。
【背景技術】
【０００２】
近年、一般家庭、特にマンションのような集合住宅の家庭では、水道水（原水）に含まれる不純物を取り除いて飲み水や調理用の水（以下、「浄水」という）を得るために、キッチンや風呂等に浄水器を設置することが多い。不純物を効果的に除去し得る浄水器として逆浸透膜式浄水器が知られている（例えば、特許文献１参照）。
【０００３】
このものは、例えばキッチンのシンクに設けられた水栓（水道給水配管）から分岐したホースが接続される注入口と、浄水の注出口と、注入口から注出口まで通じる流路とを備え、この流路にフィルタユニットが介設されている。フィルタユニットとしては、セディメントフィルタ、カーボンフィルタ及びメンブレンフィルタ（逆浸透膜フィルタ）で構成されるものがある。そして、注入口に原水が注入されると、原水は、先ずセディメントフィルタを通過して物理的に濾過され、次に、この濾過された水がカーボンフィルタを通過し、塩素や有機化合物が吸着除去され、最後に、メンブレンフィルタにより水分子のみを選択的に透過させることで、重金属やバクテリアが除去された浄水が得られる。なお、マンションのような集合住宅では、メンブレンフィルタを透過して浄化できるまでの水圧に達しない場合が多い。この場合、水分子がメンブレンフィルタを透過することができず、浄水が得られない。通常は、メンブレンフィルタの直前に加圧用ポンプが設けられ、水道水が加圧ポンプにより加圧されるようにしている。
【０００４】
ところで、上記浄水器は、例えば大規模な火災や地震等の災害が発生して水道水の供給が停止されたような場合、もはや使用することができない。このような場合、他の水源（河川の水や風呂の残り湯等の汚水）から浄水が得られることが望ましいが、汚水源から汚水を流路内に吸い込んで加圧しながら上記フィルタユニットに水を流す必要がある。他方、上記の如く、加圧ポンプを備えた浄水器では、器具の破損防止（つまり、加圧ポンプの空運転防止）のために、流路に低圧力スイッチを設けるのが一般であり、流路での水圧が規定値以下になると、この低圧力スイッチにより加圧ポンプへの通電が中止されている。このため、電力供給されているような場合でも、汚水を浄化に利用できないという問題がある。そこで、低圧力スイッチの配線を変更したりして、加圧用ポンプを強制的に作動させることが考えられるが、このような作業を利用者に要求するのでは器具の使い勝手が悪い。そこで、平時に水道水を浄化できるだけでなく、災害時に汚水を浄化できる使い勝手の良い逆浸透膜式浄水器の開発が望まれていた。
【先行技術文献】
【特許文献】
【０００５】
【特許文献１】特開２００６−３４６６６６号公報
【考案の概要】
【考案が解決しようとする課題】
【０００６】
本考案は、以上の点に鑑み、平時に水道水を浄化でき、災害時に汚水を浄化できる使い勝手の良い逆浸透膜式浄水器を提供することをその課題とする。
【課題を解決するための手段】
【０００７】
上記課題を解決するために、本考案の逆浸透膜式浄水器は、原水が注入される注入口から浄水の注出口に通じる流路と、前記流路に介在される、少なくともメンブレンフィルタを有するフィルタユニットと、前記メンブレンフィルタの下流側でこのメンブレンフィルタからの排水を排除する排水路と、前記メンブレンフィルタの上流側に設けられて流路内の水を加圧する加圧ポンプと、前記メンブレンフィルタの上流側の水圧を監視し、この水圧が規定値以下になったときに前記加圧ポンプを作動させない停止手段と、を備え、前記停止手段を無効にする無効手段を更に備えることを特徴とする。
【０００８】
本考案によれば、平時には、注入口を水栓（水道給水配管）に接続することで、水道水が注入口に注入される。この注入された水道水は流路を流れ、少なくともメンブレンフィルタを有するフィルタユニットを通過する。尚、逆浸透膜式浄水器を水道水の水圧が低い集合住宅で使用する場合であっても、加圧ポンプにより加圧された水がメンブレンフィルタに流入するため、メンブレンフィルタを透過した浄水が得られる。このメンブレンフィルタを透過し得ない重金属やバクテリアはメンブレンフィルタ下流側の排水路に排出される。また、メンブレンフィルタ上流側の水圧が規定値以下になると、停止手段により加圧ポンプの作動が禁止されるため、加圧ポンプの空運転を防止できる。
【０００９】
また、災害時に水道水の供給が停止されたときには、注入口の接続先を水栓から汚水源に変更し、この汚水源から汚水を流路内に吸い込み、この吸い込んだ汚水を加圧してフィルタユニットに流す必要がある。ここで、注入口と汚水源を連通させると、メンブレンフィルタ上流側の水圧が規定値以下になり、停止手段により加圧ポンプを作動させることができず、浄水が得られない。そこで、本考案では、無効手段によって停止手段を無効にすることで、加圧ポンプを強制的に作動させることができる。このため、汚水源から流路内に汚水を吸い込み、この吸い込んだ汚水を加圧してメンブレンフィルタを透過させることができ、結果として、汚水から浄水を得ることができる。しかも、本考案では、利用者が停止手段の配線を変更するといった作業を行う必要がなく、使い勝手が良い。
【００１０】
本考案において、前記フィルタユニット及び加圧ポンプを収容する筐体を更に備え、この筐体の壁面に前記注入口と注出口とが設けられ、これらの注入口と注出口とにホースを着脱自在に接続可能とした。これによれば、災害時に、注入口及び注出口に夫々接続したホースを取り外せば、逆浸透膜式浄水器を簡単に持ち運ぶことができる。そして、例えば河川等の汚水源の近くまで逆浸透膜式浄水器を運び、汚水源に通じるホースを注入口に接続し、加圧ポンプを作動させることにより、汚水源の汚水から浄水を得ることができる。
【００１１】
本考案において、前記フィルタユニットは、前記メンブレンフィルタの上流側に原水に含まれる沈殿物の物理的濾過を行うセディメントフィルタを有し、このセディメントフィルタの上流側で前記流路が分岐され、この分岐された分岐路が汚水源に接続可能とすると共に、第１の開閉弁を備えることが好ましい。これによれば、第１の開閉弁を操作するだけで汚水源からの汚水を注入口に注入できる。尚、本考案において、分岐路で第１の開閉弁が介設される箇所には、流路からの分岐箇所を含むものとする。分岐箇所に設ける第１の開閉弁としては、三方弁を好適に用いることができる。また、本考案において、セディメントフィルタには、セディメントフィルタとカーボンフィルタとが一体化されたセディメントカーボンフィルタが含まれるものとする。
【００１２】
本考案において、前記汚水源は、汚水を貯留する容器であり、この容器には手押し式ポンプと、容器内の圧力が規定値を超えたときに開弁する安全弁とが設けられ、前記第１の開閉弁よりも前記容器側の分岐路に第２の開閉弁を介設し、前記手押し式ポンプの操作により容器内の圧力が所定値以上になったときに前記第２の開閉弁が開弁するように構成することが好ましい。これによれば、災害時に電力供給が停止されたときでも、手押し式ポンプの操作により、容器内の汚水を流路に吸い込むことができる。そして、手押し式ポンプの操作により容器内の圧力が所定値以上になったときに第２の開閉弁を開くようにすれば、効率的に汚水を流路に送水できる。
【図面の簡単な説明】
【００１３】
【図１】本考案の実施形態の逆浸透膜式浄水器の構成を示す図。
【図２】図１に示す逆浸透膜式浄水器の分岐路に接続された汚水タンクを示す図。
【図３】逆浸透膜式浄水器の変形例を示す図。
【図４】逆浸透膜式浄水器の変形例を示す図。
【図５】逆浸透膜式浄水器の変形例を示す図。
【考案を実施するための形態】
【００１４】
以下、図面を参照して、本考案の実施形態の逆浸透膜式浄水器について、一般家庭のキッチンのシンク下の収納スペースに設置され、平時には水道水を浄化し、災害時には汚水を浄化するものを例に説明する。尚、各図において共通する要素には、同一の符号を付して重複する説明を省略する。
【００１５】
図１に示す本実施形態の逆浸透膜式浄水器Ｍは、筐体１を備える。この筐体１の上壁１ａには、水道水注入口１１ａ、汚水注入口１１ｂ、排出口１２、タンク接続口１３、注出口１４及び無効スイッチ（無効手段）ＳＷが夫々設けられている。そして、注入口１１ａ、１１ｂ、排出口１２、タンク接続口１３及び注出口１４には、後述するホースを着脱自在に接続可能とした。即ち、水道水注入口１１ａには、シンクの水栓（水道給水配管）から分岐したホース３１が接続され、平時に水道水が注入される。汚水注入口１１ｂには、汚水源３３に通じるホース３２が接続され、災害時に汚水が注入される。排出口１２には、シンクの排水口から分岐したホース３４が接続され、メンブレンフィルタＲＯからの排水を排出できるようになっている。タンク接続口１３には、タンク３５に通じるホース３６が接続されている。注出口１４には、蛇口（フォー）Ｆに通じるホース３７が接続され、浄水を蛇口Ｆから吐出できるようになっている。また、筐体１の上壁１ａには取手Ｈが設けられており、逆浸透膜式浄水器Ｍを簡単に持ち運ぶことができるようになっている。尚、取手Ｈに代えてベルトを設けてもよい。
【００１６】
筐体１内には、水道水注入口１１ａから注出口１４に通じる流路２１が形成されている。流路２１には開閉弁Ｖ１ａが介設されており、この開閉弁Ｖ１ａを開いて後述の開閉弁Ｖ１ｂを閉じることで水道水を流路２１に供給できる。この開閉弁Ｖ１ａの下流側で流路２１から分岐路２１ａが分岐され、この分岐路２１ａは、汚水注入口１１ｂに接続されている。分岐路２１ａには開閉弁（第１の開閉弁）Ｖ１ｂが介設され、この開閉弁Ｖ１ｂを開いて上記開閉弁Ｖ１ａを閉じることで流路２１と汚水源３３とを連通させることができる。汚水源３３たる汚水貯留容器には、例えば浴槽や屋外の防火槽等から汲み取られた汚水が貯留される。汚水貯留容器３３としては、例えばバケツを用いることができる。そして、開閉弁Ｖ１ｂを開き開閉弁Ｖ１ａを閉じた状態で、後述の如く無効スイッチＳＷをＯＮにして加圧ポンプＰを作動させることで、汚水貯留容器３３内の汚水を流路２１に供給できる。
【００１７】
尚、停電時には、汚水源として、上記汚水貯留容器３３に代えて、図２に示す密閉式の汚水貯留容器３３ａが用いられる。この汚水貯留容器３３ａは、手押し式ポンプ３４と、汚水貯留容器３３ａ内の圧力が規定値以上となったときに開く安全弁３４ａとを備える。この手押し式ポンプ３４のハンドルを操作することにより、後述の加圧ポンプＰが作動できない停電時であっても、汚水を流路２１に供給できる。汚水貯留容器３３ａ近傍のホース３２には開閉弁（第２の開閉弁）Ｖ２が介設されている。そして、手押し式ポンプ３４のハンドル操作によって容器内の圧力がある程度高くなった状態で開閉弁Ｖ２を開くことで、汚水を効率良く流路２１に供給できる。
【００１８】
筐体１内には、上記流路２１に介在される、少なくともメンブレンフィルタＲＯを有するフィルタユニットが収容されている。フィルタユニットは、セディメントフィルタＳ、カーボンフィルタＣ、メンブレンフィルタＲＯ及びポストカーボンフィルタＰＣで構成されている。セディメントフィルタＳは、原水に含まれる沈殿物を物理的に濾過するものであり、カーボンフィルタＣは、有機化合物を吸着除去するものである。メンブレンフィルタＲＯは、孔径が例えば０．０００１μｍ程度であり、水分子のみを選択的に通過させる超微細孔を有する逆浸透膜を備える。そして、この逆浸透膜を透過した水を下流側に流すと共に、透過できない重金属やバクテリアを分離除去して排出口から排出する。ポストカーボンフィルタＰＣは、浄水の臭みを除去してまろやかな味にするものである。
【００１９】
メンブレンフィルタＲＯの上流側（本実施形態ではセディメントフィルタＳとカーボンフィルタＣとの間）には加圧ポンプＰが設けられ、０．６ＭＰａ程度の水圧まで加圧した水をメンブレンフィルタＲＯに送ることができるようになっている。このように加圧ポンプＰをセディメントフィルタＳの下流側に設けることで、上流側に設ける場合に比べてポンプ内部へのゴミの流入を低減でき、ポンプの寿命を延ばすことができる。加圧ポンプＰは、後述する低圧力スイッチＬＰＳ、高圧力スイッチＨＰＳ及びトランスＴを介して電源に接続されており、両圧力スイッチＬＰＳ、ＨＰＳがオンのときに通電されて作動するようになっている。電源としては、家庭用電源のほか、バッテリー等の非常用電源、市販のインバータを用いれば自動車内のシガレット電源を用いることができる。
【００２０】
メンブレンフィルタＲＯの排水口には排水路２２が接続され、この排水路２２の終端は排出口１２に接続され、メンブレンフィルタＲＯからの排水を排出できるようになっている。流路２１の終端は注出口１４に接続され、ポストカーボンフィルタＰＣを通過した浄水を蛇口Ｆから吐出できるようになっている。また、メンブレンフィルタＲＯとポストカーボンフィルタＰＣとの間で流路２１が分岐され、この分岐された分岐路２３の終端はタンク接続口１３に接続されている。分岐路２３には開閉弁Ｖ３が介設されている。また、タンク接続口１３とタンク３５とを接続するホース３６には開閉弁Ｖ４が介設されており、これらの開閉弁Ｖ３、Ｖ４を開弁すると、メンブレンフィルタＲＯを透過した浄水をタンク３５内に貯留できるようになっている。
【００２１】
メンブレンフィルタＲＯの下流側には逆止弁ＣＶが設けられ、タンク３５が満水になって水圧が高くなったとき、その水圧がメンブレンフィルタＲＯ側に漏れることを防止している。逆止弁ＣＶの下流側には高圧力スイッチＨＰＳが設けられており、逆止弁ＣＶ下流側の水圧が規定値を超えたときに加圧ポンプＰを停止させるようになっている。
【００２２】
更に、流路２１にはゴム製の自動閉止弁ＡＳＶが介設され、逆止弁ＣＶ下流側の水圧が高くなったときに、メンブレンフィルタＲＯ上流側（本実施形態ではセディメントフィルタＳと加圧ポンプＰとの間）の流路２１が閉止されるようになっている。これにより、加圧ポンプＰに水道水の圧力が加わることを防止でき、メンブレンフィルタＲＯへの通水が停止されるので、メンブレンフィルタＲＯから排水路２２への排水を停止できる。
【００２３】
ここで、メンブレンフィルタＲＯ上流側の流路２１を閉止するものとして、従来電磁弁を設けることが一般的であるが、電力供給が停止されたとき（停電時）に電磁弁は常に閉弁される（すなわち、流路２１が閉止される）ので、上記手押し式ポンプ３４を操作してもメンブレンフィルタＲＯに汚水を供給できなくなる。それに対し、本実施形態で用いられる自動閉止弁ＡＳＶは停電時でも常に閉弁されることはないため、手押し式ポンプ３４を操作させることでメンブレンフィルタＲＯに汚水を通水できる。
【００２４】
メンブレンフィルタＲＯ上流側（本実施形態では加圧ポンプＰとカーボンフィルタＣとの間）には停止手段たる低圧力スイッチＬＰＳが設けられており、メンブレンフィルタＲＯ上流側（本実施形態ではセディメントフィルタＳ下流側）の水圧が規定値以下になったときに加圧ポンプＰを停止させることで、加圧ポンプＰの空運転を防止できるようになっている。また、筐体１の上壁１ａには、低圧力スイッチＬＰＳを無効にする無効手段たる無効スイッチＳＷが設けられ、例えば水道水の供給が停止され汚水を吸い込む場合等、メンブレンフィルタＲＯ上流側の水圧が規定値以下になったときに無効スイッチＳＷをＯＮにすることで、加圧ポンプＰを強制的に作動できるようになっている。以下、上記逆浸透膜式浄水器の平時及び災害時（断水時、停電時）の動作を説明する。
【００２５】
水道水及び電力が供給される平時には、開閉弁Ｖ１ａを開き開閉弁Ｖ１ｂを閉じることで、水道水が原水注入口１１を介して流路２１に通水される。そして、加圧ポンプＰを作動させると、水道水に含まれる沈殿物がセディメントフィルタＳにより濾過され、有機化合物がカーボンフィルタＣにより吸着除去され、重金属やバクテリアがメンブレンフィルタＲＯにより分離除去される。このとき、開閉弁Ｖ３、Ｖ４を閉じると、ポストカーボンフィルタＰＣを通過した浄水が蛇口Ｆから吐出される。開閉弁Ｖ３、Ｖ４を開くと、メンブレンフィルタＲＯを透過した浄水がタンク３５内に貯留される。そして、タンク３５が満水になると、逆止弁ＣＶ下流側の水圧が高くなり、高圧スイッチＨＰＳにより加圧ポンプＰが停止されると共に、自動閉止弁ＡＳＶによりメンブレンフィルタＲＯへの通水が停止され、メンブレンフィルタＲＯから排水（濃縮水）が排出されなくなる。
【００２６】
災害時に水道水の供給が停止されると（断水時）、ホース３２を汚水タンク３３に接続し、開閉弁Ｖ１ａを閉じ開閉弁Ｖ１ｂを開くことで、汚水タンク３３と流路２１とを連通させる。このとき、メンブレンフィルタＲＯ上流側の水圧が低くなり、低圧力スイッチＬＰＳが働いて加圧ポンプＰを作動させることができない。本実施形態では、低圧力スイッチＬＰＳを無効にする無効スイッチＳＷをＯＮにすることで、加圧ポンプＰを強制的に作動させるようにした。これにより、汚水タンク３３の汚水が流路２１に吸い込まれる。この流路２１に吸い込まれた汚水は、セディメントフィルタＳ、カーボンフィルタＣ、メンブレンフィルタＲＯ、ポストカーボンフィルタＰＣを順番に通過して浄化され、浄化により得られた浄水が蛇口Ｆから吐出される。また、開閉弁Ｖ３、Ｖ４を開くことで、メンブレンフィルタＲＯを通過した浄水をタンク３５内に貯留することができる。
【００２７】
また、電力供給が停止されると（停電時）、加圧ポンプＰを作動させることができないため、汚水貯留容器３３ａに付設された手押し式ポンプ３４のハンドルを上下方向に操作する。このとき、開閉弁Ｖ２を開いた状態でハンドルを操作しても、汚水貯留容器３３ａ内の圧力が分岐路３２を介して流路２１に逃げてしまうので、汚水を効率的に流路２１に通水できない。開閉弁Ｖ２を閉じた状態で所定回数（例えば数十回）ハンドル操作して汚水貯留容器３３ａ内の圧力を高めた後、開閉弁Ｖ２を開くことで、汚水を効率的に流路２１に通水できる。
【００２８】
以上説明した実施形態では、水道水の供給が停止されたときに無効スイッチＳＷにより低圧力スイッチＬＰＳを無効にすることで、加圧ポンプＰを強制的に作動させることができる。このため、ホース３２を汚水源たる汚水貯留容器３３に予め接続しておけば、流路２１に汚水を吸い込むことができ、汚水を浄化することができる。従って、本実施形態の逆浸透膜式浄水器Ｍを用いれば、平時は水道水を浄化でき、災害時には汚水を浄化できる。しかも、災害時に無効スイッチＳＷの操作だけで加圧ポンプＰを作動できるため、配線の変更を行う必要がないので、利用者にとって使い勝手が良い。
【００２９】
なお、本考案は上記実施形態に限定されるものではない。例えば、上記実施形態では、逆浸透膜式浄水器をキッチンのシンク下に設置する場合を例に説明したが、例えば、災害時に一定量の汚水を確保できない場合等には、逆浸透膜式浄水器Ｍを取り外して屋外に持ち出して使用することもできる。このとき、開閉弁Ｖ１ａ、Ｖ３、Ｖ４を閉じ、筐体１の上壁１ａの注入口１１ａ，１１ｂ、排出口１２、タンク接続口１３、注出口１４に夫々着脱自在に接続されたホース３１、３２、３４、３６、３７を取り外すことで、河川や防火水槽のような汚水源の近くまで逆浸透膜式浄水器を簡単に持ち運ぶことができる。そして、図示は省略するが、注入口１１ｂと汚水源とをホースで接続し、排出口１２と排水を貯留する排水貯留容器とをホースで接続し、注出口１４と浄水を貯留する浄水貯留容器とをホースで接続する。これによれば、汚水源からの汚水を浄化し、この浄化により得た浄水を浄水貯留容器に貯留できる。尚、開閉弁Ｖ１ａに代えて開閉弁Ｖ１ｂを閉じ、注入口１１ｂに代えて注入口１１ａと汚水源とをホースで接続してもよい。また、逆浸透膜式浄水器Ｍを持ち運ぶ際に、排出口１２を図示省略のキャップで塞ぐことで、この排出口１２から排水が滲み出るのを防ぐことができる。
【００３０】
上記実施形態では、筐体１内で流路２１から流路２１ａを分岐しているが、図３に示す如く、筐体１の外側でホース３１を分岐し、この分岐されたホース３２を汚水貯留容器３３に接続し、ホース３１、３２に開閉弁Ｖ１ａ、Ｖ１ｂを介設してもよい。そして、開閉弁Ｖ３も筐体１外側のホース３６に介設してもよい。これによれば、筐体１を開けることなく、各開閉弁の操作を行うことができるため、利用者の作業性を向上させることができる。
【００３１】
さらに、筐体１の外側でホース３１からホース３２を分岐する場合、図４に示す如くホース３１からホース３２が分岐される位置に切換弁Ｖ１たる三方弁を設けることが好ましい。これによれば、図３に示す如く構成した場合に比べて構成部品点数が少なくなるため製造コストを低減でき、しかも水道水と汚水との切換を１つの切換弁Ｖ１の切換操作だけで行えるので利用者の作業性を更に向上させることができる。
【００３２】
また、上記実施形態では、セディメントフィルタＳとカーボンフィルタＣとを別個に構成する場合について説明したが、図５に示す如くセディメントフィルタとカーボンフィルタとを一体化してセディメントカーボンフィルタＳＣとして構成する場合にも本考案を適用できる。この場合、セディメントカーボンフィルタＳＣとメンブレンフィルタＲＯとの間に加圧ポンプＰを設ければよい。
【００３３】
また、上記実施形態では、排出口１２に接続されたホース３４をシンクの排水口に接続しているが、このホース３４を汚水貯留容器３３、３３ａに接続してもよい。この場合、メンブレンフィルタＲＯからの排水が再利用されるため、多量の汚水を確保できない場合に水を有効活用できてよい。
【符号の説明】
【００３４】
Ｍ…逆浸透膜式浄水器、Ｓ…セディメントフィルタ、Ｃ…カーボンフィルタ、ＭＯ…メンブレンフィルタ、Ｐ…加圧ポンプ、ＬＰＳ…低圧力スイッチ（停止手段）、ＳＷ…無効スイッチ（無効手段）、Ｖ１ｂ…開閉弁（第１の開閉弁）、Ｖ２…開閉弁（第２の開閉弁）、１１…注入口、１４…注出口、２１…流路、２２…排水路、３１、３４…ホース。
【図１】
0003174016.tif 000003
【図２】
0003174016.tif 000004
【図３】
0003174016.tif 000005
【図４】
0003174016.tif 000006
【図５】
0003174016.tif 000007